【手続補正書】
【提出日】平成31年3月20日(2019.3.20)
【手続補正１】
【補正対象書類名】特許請求の範囲
【補正対象項目名】全文
【補正方法】変更
【補正の内容】
【特許請求の範囲】
【請求項１】
デバイスであって、該デバイスは、
第一側面と、第二側面とを有する本体であって、該第一側面は、第一ポートを有し、該第二側面は、第二ポートを有し、該本体は、その中にチャンバを有し、該チャンバは、該第一ポートおよび該第二ポートと流体連通にある、本体と、
減衰膜であって、該減衰膜の少なくとも第一部分は、該本体における該チャンバの頂部分を画定し、該減衰膜の少なくとも第二部分は、該本体に密封して固定されている、減衰膜と、
脱ガス膜であって、該脱ガス膜の少なくとも第一部分は、該本体における該チャンバの底部分を画定し、該脱ガス膜の少なくとも第二部分は、該本体に密封して固定されている、脱ガス膜と、
該減衰膜の少なくとも一部分の上の該本体における空洞内に位置づけられている蓋であって、該蓋は、該減衰膜の一部分の方を向いている球状の形をした下側表面部分を含む、蓋と
を含む、デバイス。
【請求項２】
前記チャンバは、上から見たとき、実質的に円形または長円形の形を有する、請求項１に記載のデバイス。
【請求項３】
前記チャンバは、上から見たとき、実質的に目の形をしている、請求項１に記載のデバイス。
【請求項４】
前記本体は、熱可塑性材料を含む、請求項１に記載のデバイス。
【請求項５】
前記本体は、金属を含む、請求項１に記載のデバイス。
【請求項６】
前記本体は、セラミックを含む、請求項１に記載のデバイス。
【請求項７】
前記減衰膜は、シリコンゴムと、フルオロポリマーエラストマーと、ペルフルオロエラストマーと、生体適合材料と、ポリウレタンと、ゴムと、ネオプレンと、エチレンプロピレンジエンモノマーゴムと、それらの組み合わせとからなる群から選択された材料を含む、請求項１に記載のデバイス。
【請求項８】
前記脱ガス膜は、実質的に非多孔性の材料を含む、請求項１に記載のデバイス。
【請求項９】
前記脱ガス膜は、実質的に多孔性の材料を含む、請求項１に記載のデバイス。
【請求項１０】
前記脱ガス膜は、シリコンゴムと、ポリテトラフルオロエチレンと、フィブリル化されたポリマーと、それらの組み合わせとからなる群から選択された材料を含む、請求項１に記載のデバイス。
【請求項１１】
多孔性支持体を更に含み、該支持体の少なくとも一部分は、前記脱ガス膜と、前記本体の底側との間に位置づけられている、請求項１に記載のデバイス。
【請求項１２】
前記本体は、頂本体部分および底本体部分を更に含み、該頂本体部分および該底本体部分は、一緒に固定されている、請求項１に記載のデバイス。
【請求項１３】
前記蓋は、少なくとも１つの通気口を含み、該通気口は、前記減衰膜の上の前記空洞と前記本体の外側部分との間の流体連通を提供する、請求項１に記載のデバイス。
【請求項１４】
前記減衰膜および前記脱ガス膜の両方は、前記チャンバにおける流体の圧力が１００ｐｓｉ以下のとき、前記本体への密封された接続を維持する、請求項１に記載のデバイス。
【請求項１５】
前記本体における複数の取り付け穴を更に含む、請求項１に記載のデバイス。
【請求項１６】
デバイスであって、該デバイスは、
第一側面と、第二側面とを有する本体であって、該第一側面は、第一ポートを有し、該第二側面は、第二ポートを有し、該本体は、その中にチャンバを有し、該チャンバは、該第一ポートおよび該第二ポートと流体連通にある、本体と、
第一材料を含む減衰膜であって、該減衰膜の少なくとも第一部分は、該本体における該チャンバの頂部分を画定し、該減衰膜の少なくとも第二部分は、該本体に密封して固定されている、減衰膜と、
第二材料を含む、脱泡または脱ガス膜であって、該第二材料は、該第一材料と異なり、該脱泡膜の少なくとも第一部分は、該本体における該チャンバの底部分を画定し、該脱泡膜の少なくとも第二部分は、該本体に密封して固定されている、脱泡または脱ガス膜と
を含む、デバイス。
【請求項１７】
前記脱泡膜は、ポリテトラフルオロエチレンと、ＴＥＦＬＯＮ（登録商標）と、フィブリル化されたポリプロピレンと、それらの組み合わせとからなる群から選択された材料を含む、請求項１６に記載のデバイス。
【請求項１８】
デバイスであって、該デバイスは、
第一側面と、第二側面とを有する本体であって、該第一側面は、第一ポートを有し、該第二側面は、第二ポートを有し、該本体は、その中にチャンバを有し、該チャンバは、該第一ポートおよび該第二ポートと流体連通にある、本体と、
減衰膜であって、該減衰膜の少なくとも第一部分は、該本体における該チャンバの頂部分を画定し、該減衰膜の少なくとも第二部分は、該本体に密封して固定されている、減衰膜と、
脱ガスまたは脱泡膜であって、該脱ガスまたは脱泡膜の少なくとも第一部分は、該本体の該チャンバの底部分を画定し、該脱ガスまたは脱泡膜の少なくとも第二部分は、該本体に密封して固定されている、脱ガスまたは脱泡膜と
を含む、デバイス。
【請求項１９】
デバイスであって、該デバイスは、
第一ポートと、第二ポートとを有する本体であって、該本体は、その中にチャンバを有し、該チャンバは、該第一ポートおよび該第二ポートと流体連通にある、本体と、
減衰膜であって、該減衰膜の少なくとも第一部分は、該本体における該チャンバの頂部分を画定し、該減衰膜の少なくとも第二部分は、該本体に密封して固定されている、減衰膜と、
脱ガスまたは脱泡膜であって、該脱ガスまたは脱泡膜の少なくとも第一部分は、該本体の該チャンバの底部分を画定し、該脱ガスまたは脱泡膜の少なくとも第二部分は、該本体に密封して固定されている、脱ガスまたは脱泡膜と
を含む、デバイス。
【請求項２０】
前記本体は、熱可塑性材料、金属、セラミック、またはそれらの組み合わせを含む、請求項１９に記載のデバイス。
【請求項２１】
前記減衰膜は、シリコンゴムと、フルオロポリマーエラストマーと、ペルフルオロエラストマーと、生体適合材料と、ポリウレタンと、ゴムと、ネオプレンと、エチレンプロピレンジエンモノマーゴムと、それらの組み合わせとからなる群から選択された材料を含む、請求項１９に記載のデバイス。
【請求項２２】
前記脱ガスまたは脱泡膜は、実質的に非多孔性の材料を含む、請求項１９に記載のデバイス。
【請求項２３】
前記脱ガスまたは脱泡膜は、実質的に多孔性の材料を含む、請求項１９に記載のデバイス。
【請求項２４】
前記脱ガスまたは脱泡膜は、シリコンゴムと、ポリテトラフルオロエチレンと、フィブリル化されたポリマーと、それらの組み合わせとからなる群から選択された材料を含む、請求項１９に記載のデバイス。
【請求項２５】
多孔性支持体を更に含み、該支持体の少なくとも一部分は、前記脱ガスまたは脱泡膜と、前記本体の底側との間に位置づけられている、請求項１９に記載のデバイス。
【請求項２６】
前記減衰膜および前記脱ガス膜の両方は、前記チャンバにおける流体の圧力が１００ｐｓｉ以下のとき、前記本体への密封された接続を維持する、請求項１９に記載のデバイス。
【請求項２７】
前記デバイスは、前記チャンバに提供される流体におけるパルス振幅を１０％から９５％までに低減させる、請求項１９に記載のデバイス。
【請求項２８】
デバイスであって、該デバイスは、
第一ポートと、第二ポートとを有する本体であって、該本体は、その中にチャンバを有し、該チャンバは、該第一ポートおよび該第二ポートと流体連通にある、本体と、
第一材料を含む第一膜であって、該第一膜の少なくとも第一部分は、該本体における該チャンバの頂部分を画定し、該第一膜の少なくとも第二部分は、該本体に固定されている、第一膜と、
第二材料を含む第二膜であって、該第二材料は、該第一材料と異なり、該第二膜の少なくとも第一部分は、該本体の該チャンバの底部分を画定し、該第二膜の少なくとも第二部分は、該本体に固定されている、第二膜と
を含み、
該第一膜および該第二膜は、以下：減衰膜、脱ガス膜、脱泡膜、および透過性膜のうちの少なくとも２つを含む、デバイス。
【請求項２９】
前記第一膜および前記第二膜の両方は、前記チャンバにおける流体の圧力が１００ｐｓｉ以下のとき、前記本体への密封された接続を維持する、請求項２８に記載のデバイス。
【請求項３０】
前記デバイスは、前記チャンバに提供される流体におけるパルス振幅を１０％から９５％までに低減させる、請求項２８に記載のデバイス。
【請求項３１】
前記第一膜および前記第二膜のうちの少なくとも１つは、実質的に多孔性の材料を含む、請求項２８に記載のデバイス。
【請求項３２】
前記第一膜および前記第二膜のうちの少なくとも１つは、実質的に非多孔性の材料を含む、請求項２８に記載のデバイス。
【請求項３３】
液体をポンプ、検査、または分析するためのシステムであって、該システムは、
デバイスを含み、該デバイスは、
第一ポートと、第二ポートとを有する本体であって、該本体は、その中にチャンバを有し、該チャンバは、該第一ポートおよび該第二ポートと流体連通にある、本体と、
減衰膜であって、該減衰膜の少なくとも第一部分は、該本体における該チャンバの頂部分を画定し、該減衰膜の少なくとも第二部分は、該本体に固定されている、減衰膜と、
第二膜であって、該第二膜の少なくとも第一部分は、該本体の該チャンバの底部分を画定し、該第二膜の少なくとも第二部分は、該本体に固定され、該第二膜は、脱ガス膜、脱泡膜、または透過性膜を含む、第二膜と
を含む、システム。
【請求項３４】
前記システムは、分析機器システムを含む、請求項３３に記載のシステム。
【請求項３５】
前記分析機器システムは、液体クロマトグラフィーシステム、ガスクロマトグラフィーシステム、イオンクロマトグラフィーシステム、質量分析システム、マイクロクロマトグラフィーシステム、生化学的検出システム、生物学的検知システム、薬物発見または送達システム、分子分離システム、プロテオミクスシステム、または、光学的流体工学システムを含む、請求項３４に記載のシステム。
【請求項３６】
前記システムは、インビトロ診断システムを含む、請求項３４に記載のシステム。
【請求項３７】
前記システムは、食料、液体、空気、または他の流体のための産業的用途システムを含む、請求項３４に記載のシステム。
【請求項３８】
前記デバイスは、前記チャンバに提供される流体におけるパルス振幅を１０％から９５％までに低減させる、請求項３３に記載のシステム。
【請求項３９】
前記減衰膜および前記第二膜の両方は、前記流体の圧力が１００ｐｓｉ以下のとき、前記本体への密封された接続を維持する、請求項３８に記載のシステム。
【手続補正２】
【補正対象書類名】明細書
【補正対象項目名】００１９
【補正方法】変更
【補正の内容】
【００１９】
つまり、本開示のこれらおよび多数の他の特徴、主題、および利点は、本明細書において示される詳細な説明、特許請求の範囲、および図を読んだ上で容易に明らかとなる。これらの特徴、主題、および利点は、概して、特定の形の減衰および脱ガスチャンバ有するデバイスを提供することによって、ならびに減衰膜の減衰力を最大化すること、減衰および脱ガスチャンバの容積を最小化すること、脱ガス膜の表面積を最大化すること、および流体を減衰デバイスの外へ押し流す能力を最大化することを助ける仕方で減衰および脱ガスチャンバに対して配置された流体入口ポートおよび流体出口ポート有することによって達成され、これら全ては、余分な接続を必要としないので使いやすく、より少ない構成要素を必要とするのでより安価である傾向にあり、製造するのにより簡単で、より速く、より安価であるデバイスを同時に提供する。
本願明細書は、例えば、以下の項目も提供する。
（項目１）
デバイスであって、該デバイスは、
第一側面と、第二側面とを有する本体であって、該第一側面は、第一ポートを有し、該第二側面は、第二ポートを有し、該本体は、その中にチャンバを有し、該チャンバは、該第一ポートおよび該第二ポートと流体連通にある、本体と、
減衰膜であって、該減衰膜の少なくとも第一部分は、該本体における該チャンバの頂部分を画定し、該減衰膜の少なくとも第二部分は、該本体に密封して固定されている、減衰膜と、
脱ガス膜であって、該脱ガス膜の少なくとも第一部分は、該本体における該チャンバの底部分を画定し、該脱ガス膜の少なくとも第二部分は、該本体に密封して固定されている、脱ガス膜と
を含む、デバイス。
（項目２）
前記チャンバは、上から見たとき、実質的に円形または長円形の形を有する、項目１に記載のデバイス。
（項目３）
前記チャンバは、上から見たとき、実質的に目の形をしている、項目１に記載のデバイス。
（項目４）
前記本体は、熱可塑性材料を含む、項目１に記載のデバイス。
（項目５）
前記本体は、金属を含む、項目１に記載のデバイス。
（項目６）
前記本体は、セラミックを含む、項目１に記載のデバイス。
（項目７）
前記減衰膜は、シリコンゴムと、フルオロポリマーエラストマーと、ペルフルオロエラストマーと、生体適合材料と、ポリウレタンと、ゴムと、ネオプレンと、エチレンプロピレンジエンモノマーゴムとからなる群から選択された材料を含む、項目１に記載のデバイス。
（項目８）
前記脱ガス膜は、実質的に非多孔性の材料を含む、項目１に記載のデバイス。
（項目９）
前記脱ガス膜は、実質的に多孔性の材料を含む、項目１に記載のデバイス。
（項目１０）
前記脱ガス膜は、シリコンゴムと、ポリテトラフルオロエチレンと、フィブリル化されたポリマーとからなる群から選択された材料を含む、項目１に記載のデバイス。
（項目１１）
多孔性支持体を更に含み、該支持体の少なくとも一部分は、前記脱ガス膜と、前記本体の底側との間に位置づけられている、項目１に記載のデバイス。
（項目１２）
前記本体は、頂本体部分および底本体部分を更に含み、該頂本体部分および該底本体部分は、一緒に固定されている、項目１に記載のデバイス。
（項目１３）
前記減衰膜の少なくとも一部分の上の前記本体における空洞内に位置づけられている蓋を更に含み、該蓋は、該減衰膜の一部分の方を向いている球状の形をした下側表面部分を含む、項目１に記載のデバイス。
（項目１４）
前記蓋は、少なくとも１つの通気口を含み、該通気口は、前記減衰膜の上の前記空洞と前記本体の外側部分との間の流体連通を提供する、項目１３に記載のデバイス。
（項目１５）
前記減衰膜および前記脱ガス膜の両方は、前記チャンバにおける流体の圧力が１００ｐｓｉ以下のとき、前記本体への密封された接続を維持する、項目１に記載のデバイス。
（項目１６）
前記本体における複数の取り付け穴を更に含む、項目１に記載のデバイス。
（項目１７）
デバイスであって、該デバイスは、
第一側面と、第二側面とを有する本体であって、該第一側面は、第一ポートを有し、該第二側面は、第二ポートを有し、該本体は、その中にチャンバを有し、該チャンバは、該第一ポートおよび該第二ポートと流体連通にある、本体と、
減衰膜であって、該減衰膜の少なくとも第一部分は、該本体における該チャンバの頂部分を画定し、該減衰膜の少なくとも第二部分は、該本体に密封して固定されている、減衰膜と、
脱泡膜であって、該脱泡膜の少なくとも第一部分は、該本体における該チャンバの底部分を画定し、該脱泡膜の少なくとも第二部分は、該本体に密封して固定されている、脱泡膜と
を含む、デバイス。
（項目１８）
前記脱泡膜は、ポリテトラフルオロエチレンと、ＴＥＦＬＯＮ（登録商標）と、フィブリル化されたポリプロピレンとからなる群から選択された材料を含む、項目１７に記載のデバイス。
（項目１９）
デバイスであって、該デバイスは、
第一側面と、第二側面とを有する本体であって、該第一側面は、第一ポートを有し、該第二側面は、第二ポートを有し、該本体は、その中にチャンバを有し、該チャンバは、該第一ポートおよび該第二ポートと流体連通にある、本体と、
第一膜であって、該第一膜の少なくとも第一部分は、該本体における該チャンバの頂部分を画定し、該第一膜の少なくとも第二部分は、該本体に密封して固定されている、第一膜と、
第二膜であって、該第二膜の少なくとも第一部分は、該本体の該チャンバの底部分を画定し、該第二膜の少なくとも第二部分は、該本体に密封して固定されている、第二膜と
を含む、デバイス。
（項目２０）
前記第一膜は、パルス減衰膜を含む、項目１９に記載のデバイス。
（項目２１）
前記第二膜は、脱ガス膜または脱泡膜を含む、項目１９に記載のデバイス。